(57)【要約】【課題】継手自体に内管と外管を分岐される機能と、それぞれ相手方の配管との接続機能とを兼ね備え、内管、外管との接続が簡易に行えるようにした信頼性の高い二重管継手を提供する。【解決手段】二重管１０の内・外流路１３、１４をそれぞれ形成する内管１１と外管１２に接続される二重管側の第１の接続部２１と、外流路１４と連通する相手方配管が１６接続される第２の接続部２２と、内流路１３を外流路１４の外側に分岐させる流路分岐部２３と、を有し、第１の接続部２１と、第２の接続部２２と、流路分岐部２３とが樹脂一体成形の継ぎ目無し継手本体を構成する。【選択図】図１
2009228699.tif 000002
【特許請求の範囲】
【請求項１】
内・外流路が同心状に形成された二重管に接続し、前記内・外流路を分岐先の相手方配管と接続するための二重管継手において、
前記二重管の内・外流路をそれぞれ形成する内管と外管に接続される二重管側の第１の接続部と、
前記外流路と連通する相手方配管が接続される第２の接続部と、
前記内流路を外流路の外側に分岐させる流路分岐部と、
を有し、
前記第１の接続部と、第２の接続部と、前記流路分岐部とが樹脂一体成形の継ぎ目無し継手本体を構成することを特徴とする二重管継手。
【請求項２】
前記第１の接続部には、前記二重管の内管に接続される内側接続部と、外管に接続される外側接続部を同軸に形成し、前記内側接続部と前記流路分岐部とが一体となって前記分岐流路を形成するとともに、前記分岐部と前記外側接続部とが一体の二重管構造をなすことを特徴とする請求項１に記載の二重管継手。
【請求項３】
前記第１接続部の内側接続部と外側接続部は、それぞれ樹脂製の前記二重管の内管、外管の端末に圧入接続される、タケノコ形状に凹凸が形成された外周部を有する圧入接続部であることを特徴とする請求項２に記載の二重管継手。
【請求項４】
前記第２の接続部は、クイックコネクタのハウジング型の端末形状を有することを特徴とする請求項２に記載の二重管継手。
【請求項５】
前記流路分岐部の接続口には、クイックコネクタのハウジング型の端末形状が一体的に設けられることを特徴とする請求項４に記載の二重管継手。
【請求項６】
前記第２の接続部は、クイックコネクタに接続される相手方の管端末形状を有することを特徴とする請求項２に記載の二重管継手。
【請求項７】
前記流路分岐部の接続口には、クイックコネクタに接続される相手方の管端末形状が一体的に設けられることを特徴とする請求項６に記載の二重管継手。
【請求項８】
前記第１接続部の内側接続部と外側接続部には、樹脂製の前記二重管の内管、外管の端末がそれぞれ溶着されることを特徴とする請求項２に記載の二重管継手。
【請求項９】
前記流路分岐部の接続口には、分岐先の相手方配管と接続するための複数種類の継手部品の中から任意の継手部品を選んで接合可能であることを特徴とする請求項２に記載の二重管継手。
【発明の詳細な説明】
【技術分野】
【０００１】
本発明は、内管と外管とが二重構造をなす二重管と接続し、配管を分岐させるのに用いられる二重管継手に関する。
【背景技術】
【０００２】
二重管は、外管と内管が一体の同軸二重構造になっている管であり、流体は内管を通るだけでなく、内管と外管の間を流路にして流体が通るようになっている。このような二重管を自動車や機械設備などの配管系統で利用するには、二重管の端部で内管内の流路と、内管と外管の間の流路とを分岐させて相手方の配管と接続するために専用の継手が必要不可欠になる。
【０００３】
従来、この種の二重管に用いられる継手には、例えば、特許文献１に開示されているものがある。  
図９において、二重管１００は、外管１０１とその内側の内管１０２とから構成されている。継手２はＬ形に曲がった形状を有し、継手２の一端には外管１０１の先端部が接合されている。内管１０２は、継手２の湾曲部に形成された貫通孔７を貫通するように真っ直ぐに延びており、内管１０２の先端には、チューブ３が接続されている。この継手２では、外管１０１、内管１０２との接合は、ロー付けにより行われている。
【特許文献１】特開２００４−２４５３９３号公報
【発明の開示】
【発明が解決しようとする課題】
【０００４】
従来、二重管を分岐させるために用いられる継手では、継手本体と内管、外管とをロー付けによって接合しているため、製作工数、コストがかかるだけでなく、シール性に対する信頼性が低いという問題がある。
【０００５】
また、分岐した管には、相手方の配管が簡単に接続できるような接続手段を備えておらず、実際の接続作業に手間がかかるという問題がある。
【０００６】
そこで、本発明の目的は、前記従来技術の有する問題点を解消し、信頼性が高い上に、継手自体に内管と外管を分岐される機能と、それぞれ相手方の配管との接続機能とを兼ね備え、内管、外管との接続が簡易に行えるようにした二重管継手を提供することにある。
【課題を解決するための手段】
【０００７】
前記の目的を達成するために、本発明は、内・外流路が同心状に形成された二重管に接続し、前記内・外流路を分岐先の相手方配管と接続するための二重管継手において、前記二重管の内・外流路をそれぞれ形成する内管と外管に接続される二重管側の第１の接続部と、前記外流路と連通する相手方配管が接続される第２の接続部と、前記内流路を外流路の外側に分岐させる分岐流路を形成する流路分岐部と、を有し、前記第１の接続部と、第２の接続部と、前記流路分岐部とが樹脂一体成形の継ぎ目無し継手本体を構成することを特徴とするものである。
【０００８】
また、本発明は、前記第１の接続部には、前記二重管の内管に接続される内側接続部と、外管に接続される外側接続部を同軸に形成し、前記内側接続部と前記流路分岐部とが一体となって前記分岐流路を形成するとともに、前記分岐部と前記外側接続部とが一体の二重構造をなすことを特徴とするものである。
【０００９】
本発明の好適な実施形態によれば、前記第１接続部の内側接続部と外側接続部は、それぞれ樹脂製の前記二重管の内管、外管の端末に圧入接続される、タケノコ形状に凹凸が形成された外周部を有する圧入接続部として構成される。
【００１０】
また、本発明の好適な実施形態によれば、前記第１接続部の内側接続部と外側接続部には、樹脂製の前記二重管の内管、外管の端末がそれぞれ溶着される。
【発明の効果】
【００１１】
本発明によれば、継手自体に内管と外管を分岐される機能と、それぞれ相手方の配管との接続機能とを兼ね備え、内管、外管との接続を簡易に行え、信頼性の高いものにすることができる。
【発明を実施するための最良の形態】
【００１２】
以下、本発明による二重管継手の実施形態について、添付の図面を参照しながら説明する。  
第１実施形態  
図１は、本発明の第１実施形態による二重管継手を示す縦断面図である。この図１において、参照番号１０は、二重管を示し、参照番号２０は本実施形態による二重管継手の全体を示す。二重管１０は、内管１１と外管１２とが同心二重構造をなす樹脂製チューブである。この二重管１０では、内管１１によって内流路１３が形成され、内管１１の外周面と外管１２の内周面とによって外流路１４が形成されている。
【００１３】
図１において、参照番号１５は、内流路１３に連通する相手方のチューブで、１６は外流路１４と連通する相手方のチューブである。二重管継手２０は、二重管１０の内管１１、外管１２を分岐させて、それぞれチューブ１５、１６と接続できるようにするための継手である。
【００１４】
本実施形態の二重管継手２０は、大きく分けると、二重管１０の端末に接続される第１の接続部２１と、外流路１４と連通するチューブ１６の端末が接続される第２の接続部２２と、流路分岐部２３の各部から構成されており、これら第１接続部２１、第２接続部２２および流路分岐部２３は、樹脂一体成形の継ぎ目無し継手本体を構成するようになっている。
【００１５】
まず、二重管継手２０の第１接続部２１について説明する。この第１接続部２１では、内側接続部２４と外側接続部２５が同軸に形成されている。このうち、内側接続部２４は、二重管１０の内管１１の端末に圧入されることで接続されている。外側接続部２５は、同様に二重管１０の外管１２に圧入されることで接続されている。第１接続部２１では、内側接続部２４と分岐部２３とが一体となって分岐流路２３ａを形成している。
【００１６】
次に、図２は、図１におけるII−II断面を示す。この図２に示すように、分岐部２３と外側接続部２５とは一体の二重管構造をなすようになっている。
【００１７】
図１に示すように、第１接続部２１の内側接続部２４は凹凸がタケノコ形状に形成された外周部を有する圧入接続部として構成されており、この内側接続部２４は、二重管１０の内管１１の端末に圧入により接続される。同様に、外側接続部２５もタケノコ形状の圧入接続部として構成され、二重管１０の外管１２の端末に圧入により接続される。この場合、二重管１０では内管１１と外管１２の端面の段差が、内側接続部２４と外側接続部２５の段差に対応しているので、一度に圧入することができる。
【００１８】
流路分岐部２３の接続口は、この実施形態では、クイックコネクタ型端末部２６が一体的に設けられている。このクイックコネクタ型端末部２６は、リテーナ２７の爪２７ａで、分岐先のチューブ１５のスプール部１５ａを拘束する公知のクイックコネクタの構造をもっている。
【００１９】
なお、このクイックコネクタ型端末部２６には、図３に示すように、半径方向からリテーナ２９を挿入する形式のクイックコネクタ型端末部３０を用いるようにしてもよい。
【００２０】
同様に、第２接続部２２は、クイックコネクタ型端末部３１として構成されており、リテーナ３２の爪３２ａで、相手方のチューブ１６のスプール部１６ａを拘束する公知のクイックコネクタの構造が利用されている。
【００２１】
以上のように構成される第１実施形態によれば、次のような作用効果が得られる。  
図１に示すように、二重管１０の内管１１には、内側接続部２４を圧入し、外管１２には、外側接続部２５を圧入する。他方、分岐先のチューブ１５、１６は、それぞれクイックコネクタ型端末部２６、３１に挿入することで接続することができる。このように継手自体に内管１１と外管１２を分岐させる機能と、それぞれ相手方の配管との接続機能を兼ね備えているので、二重管１０の内管１１と外管１２を分岐させた上で、分岐先のチューブ１５、１６と簡単にワンタッチで接続することができる。
【００２２】
しかも、第１接続部２１と、第２接続部２２と、流路分岐部２３とが樹脂一体成形の継ぎ目無しの継手本体を構成することができるので、シンプルな構造で信頼性の高い継手構造とすることができる。
【００２３】
第２実施形態  
次に、本発明の第２実施形態による二重管継手について、図４を参照して説明する。なお、図４で図１と同一の参照番号は同一の構成要素を示している。
【００２４】
この第２実施形態では、流路分岐部２３の接続口には、スプール部３３ａを有する雄型の有する管端末部３３が一体的に設けられ、前記第２接続部２２にも、同様にスプール部３７ａを有する雄型の管端末部３７が一体的に設けられている。したがって、それぞれ管端末形状部３３、３７には、クイックコネクタが取り付けられた相手方の管と接続されることになる。  
以上のような第２実施形態によれば、二重管継手の構造がシンプルになり、信頼性の高い継手とすることができる。
【００２５】
第３実施形態  
次に、図５は、本発明の第３実施形態による二重管用管継手を示す断面図である。この第３実施形態では、流路分岐部２３の接続口３４には、雄型の管端末部３３あるいはクイックコネクタ型の端末部３５のいずれかを選択的に溶着できるようにしたものである。
【００２６】
以上のような第３実施形態によれば、接続する相手方に応じた設計の自由度を高め、汎用性を高められる利点がある。
【００２７】
第４実施形態  
次に、本発明の第４実施形態による二重管継手について、図６を参照しながら説明する。  
これまで説明した第１乃至第３実施形態では、第１接続部２１の内側接続部２４、外側接続部２５のいずれも圧入により二重管１０と接続する形式のものであったが、第４実施形態では、第１接続部２１に二重管１０を直接溶着する構成になっている。これ以外の構成は、図１の第１実施形態と同様であり、同一の構成要素には同一の参照番号を付して詳細な説明は省略する。
【００２８】
図７において、第１接続部２１の内側接続部２４には、二重管１０の内管１１の端末が嵌合し得るように軸方向に深さを有する溝４０が全周に亘って形成されている。同じように、外側接続部２５には、二重管１０の外管１２の端末が嵌合し得る溝４２が全周に亘って形成されている。
【００２９】
なお、図８に示すように、この４実施形態では、内側接続部２４に連続する流路分岐部２３は、半径方向に延びる複数のリブ４４を介して外側側接続部２５の内側で同軸の二重管構造を構成している。
【００３０】
以上のような第１接続部２１に二重管１０を接続する場合には、二重管１０の内管１１の端末を内側接続部２４の溝４０に挿入し、外管１２の端末を外側接続部２５の溝４２に挿入し、それぞれを溶着する。この場合、二重管１０では内管１１と外管１２の端面の段差が、内側接続部２４と外側接続部２５の段差に対応しているので、内管１１と外管１２を同時に溝４０、４２に嵌合させ、溶着することができる。
【００３１】
以上のように構成される第４実施形態によれば、第１乃至第３実施形態と較べると、全体として、圧入接続部がない分だけ、二重管継手２０の長さを短く、全体としてコンパクトに構成にすることができる。
【００３２】
なお、図６では、第２接続部２２にクイックコネクタ型端末部３１を設け、分岐部２３の接続口にも同じくクイックコネクタ型端末部３５を一体に設けた例を挙げたが、これに限定されるものではなく、図３に示したようなクッイックコネクタ型端末３０や、図５に示した雄型の管端末部３３などにするなど、設計の自由度があることはもちろんである。
【図面の簡単な説明】
【００３３】
【図１】本発明の第１実施形態による二重管管継手の縦断面図である。
【図２】同二重管用管継手の図１におけるII-II断断面図である。
【図３】本発明の第１実施形態による二重管用管継手に用いられるクイックコネクタ型端末部の例を示す側面図である。
【図４】本発明の第２実施形態による二重管管継手の縦断面図である。
【図５】本発明の第３実施形態による二重管管継手の縦断面図である。
【図６】本発明の第４実施形態による二重管管継手の縦断面図である。
【図７】二重管継手における第１接続部の要部を示す断面図。
【図８】同二重管用管継手の図６におけるVIII-VIII断断面図である。
【図９】従来技術による二重管継手を示す縦断面図である。
【符号の説明】
【００３４】
１０  二重管
１１  内管
１２  外管
１５  チューブ
１６  チューブ
２０  二重管継手
２１  第１接続部
２２  第２接続部
２３  流路分岐部
２４  内側接続部
２５  外側接続部
２６  クイックコネクタ型端末部
３１  クイックコネクタ型端末部
【図１】
2009228699.tif 000003
【図２】
2009228699.tif 000004
【図３】
2009228699.tif 000005
【図４】
2009228699.tif 000006
【図５】
2009228699.tif 000007
【図６】
2009228699.tif 000008
【図７】
2009228699.tif 000009
【図８】
2009228699.tif 000010
【図９】
2009228699.tif 000011